【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
一般式(I)の糖脂質：
(G)m-(OCOR)n                  (I)
式中、
(G)mは、全サッカリド画分（total saccharidic fraction）であり；
(OCOR)nは、全脂質画分（total lipidic fraction）であり；
Gは、サッカリドであり；
Rは、12〜24個の炭素原子を含む直鎖の炭化水素鎖であり；
mは、50〜150の整数であり；および
nは、2〜5の整数であり；
ここで、Gは、少なくとも1つのラムノース単位を含む。
【請求項２】
請求項１に記載の糖脂質であって、Gが、ガラクツロン酸、マンノース、ガラクトース、グルコース、グルコサミン、キシロースおよびそれらの組み合わせよりなる群から選択される、少なくとも1つのサッカリドユニットを含む、糖脂質。
【請求項３】
請求項１に記載の糖脂質であって、(G)mが、全サッカリド画分（total saccharidic fraction）(G)m（100％）に対して、48〜54重量％のラムノース（Rha）、10〜18重量％のガラクツロン酸（GaIA）、8〜14重量％のマンノース（Man）、8〜14重量％のガラクトース（Gal）、2〜9重量％のグルコース（Glc）、2〜6重量％のグルコサミン（GLcN）、2〜6重量％のキシロース（Xyl）を含む、糖脂質。
【請求項４】
請求項１〜３のいずれかに記載の糖脂質であって、Rが18個の炭素原子を含む直鎖の炭化水素鎖[Ｃ18]である、糖脂質。
【請求項５】
請求項４に記載の糖脂質であって、(OCO[C18])nが、全脂質画分（total lipidic fraction）(OCOR)n（100％）に対して45〜65重量％である、糖脂質。
【請求項６】
請求項４に記載の糖脂質であって、Rが16個の炭素原子を含む直鎖の炭化水素鎖[Ｃ16]である、糖脂質。
【請求項７】
請求項６に記載の糖脂質であって、(OCO[C16])nが、全脂質画分（total lipidic fraction）(OCOR)n（100％）に対して20〜45重量％である、糖脂質。
【請求項８】
請求項１〜７のいずれかに記載の糖脂質であって、Rが14、15、17、19または20個の炭素原子を含む直鎖の炭化水素鎖[ＣΣ]であり、(OCO[CΣ])nが、全脂質画分（total lipidic fraction）(OCOR)n（100％）に対して0〜15重量％である、糖脂質。
【請求項９】
分子量が30kDaであるか30kDaより大きい、請求項１〜８のいずれかに記載の糖脂質。
【請求項１０】
請求項１の糖脂質であって：
−該糖脂質の分子量が30kDaであるか30kDaより大きく；
−(G)mが、全サッカリド画分（total saccharidic fraction）(G)m（100％）に対して、48〜54重量％のラムノース（Rha）、10〜18重量％のガラクツロン酸（GaIA）、8〜14重量％のマンノース（Man）、8〜14重量％のガラクトース（Gal）、2〜9重量％のグルコース（Glc）、2〜6重量％のグルコサミン（GLcN）、2〜6重量％のキシロース（Xyl）を含み；
−nが2であり、少なくとも1つのRは、全脂質画分（total lipidic fraction）(OCOR)n（100％）に対して45〜65重量％が[C18]であり、および／または、全脂質画分（total lipidic fraction）(OCOR)n（100％）に対して20〜45重量％が[C16]であり、Rは全脂質画分（total lipidic fraction）(OCOR)n（100％）に対して0〜15重量％が[CΣ]である、糖脂質。
【請求項１１】
請求項１の糖脂質であって：
−該糖脂質の分子量が30kDaであるか30kDaより大きく；
−(G)mが、全サッカリド画分（total saccharidic fraction）(G)m（100％）に対して、48〜54重量％のラムノース（Rha）、10〜18重量％のガラクツロン酸（GaIA）、8〜14重量％のマンノース（Man）、8〜14重量％のガラクトース（Gal）、2〜9重量％のグルコース（Glc）、2〜6重量％のグルコサミン（GLcN）、2〜6重量％のキシロース（Xyl）を含み；
−nが3であり、少なくとも1つのRは、全脂質画分（total lipidic fraction）(OCOR)n（100％）に対して45〜65重量％が[C18]であり、および／または、全脂質画分（total lipidic fraction）(OCOR)n（100％）に対して20〜45重量％が[C16]であり、Rは全脂質画分（total lipidic fraction）(OCOR)n（100％）に対して0〜15重量％が[CΣ]である、糖脂質。
【請求項１２】
請求項１の糖脂質であって：
−該糖脂質の分子量が30kDaであるか30kDaより大きく；
−(G)mが、全サッカリド画分（total saccharidic fraction）(G)m（100％）に対して、48〜54重量％のラムノース（Rha）、10〜18重量％のガラクツロン酸（GaIA）、8〜14重量％のマンノース（Man）、8〜14重量％のガラクトース（Gal）、2〜9重量％のグルコース（Glc）、2〜6重量％のグルコサミン（GLcN）、2〜6重量％のキシロース（Xyl）を含み；
−nが3、4または5であり、少なくとも1つのRは、全脂質画分（total lipidic fraction）(OCOR)n（100％）に対して45〜65重量％が[C18]であり、および／または、全脂質画分（total lipidic fraction）(OCOR)n（100％）に対して20〜45重量％が[C16]であり、Rは全脂質画分（total lipidic fraction）(OCOR)n（100％）に対して0〜15重量％が[CΣ]である、糖脂質。
【請求項１３】
請求項１〜１２のいずれかの糖脂質を有効成分として含有する医薬品。
【請求項１４】
請求項１〜１２のいずれかの糖脂質を有効成分として含有する抗炎症剤。
【請求項１５】
請求項１４に記載の糖脂質を有効成分として含有する虚血再灌流に関連する炎症の治療剤。
【請求項１６】
前記炎症が組織虚血および臓器虚血に関連する、請求項１５に記載の治療剤。
【請求項１７】
心筋梗塞、コロナロパシー、心不全、アテローム性動脈硬化、脳虚血、心虚血、腎虚血、腸虚血、肝虚血、肺虚血、移植および多臓器不全症候群における炎症の治療に使用するための、請求項１４に記載の抗炎症剤。
【請求項１８】
請求項１〜１２のいずれかに記載の糖脂質の製造方法であって、以下の工程：
ａ．少なくとも1つのシアノバクテリウムの培養物を供給する工程；
ｂ．培養物から糖脂質を抽出する工程；
ｃ．工程（ｂ）からの糖脂質を沈殿させる工程；および
ｄ．工程（ｃ）からの抽出および沈殿した糖脂質を精製する工程
を含む、方法。
【請求項１９】
請求項１８に記載の方法であって、該抽出（ｂ）が、マイクロ波で処理する工程およびその後変性溶液と混合する工程を含み、かつ、該精製（ｄ）が、陰イオン交換カラムでの溶出およびその後のカットオフが30kDaのフィルターでの濾過を含む、方法。
【請求項２０】
請求項１９に記載の方法であって、工程（ｂ）のマイクロ波による該処理が約750Wで約1〜2分間実施され、工程（ｂ）の該変性溶液が、有機極性プロトン性溶媒系試薬、カオトロピック剤、および非プロトン性有機溶媒を含み、かつ、工程（ｄ）の該陰イオン交換カラムが塩基性交換基を有し、かつ、該溶出が重炭酸アンモニウム勾配を用いて実施される、方法。
【請求項２１】
請求項１８〜２０のいずれかに記載の方法であって、少なくとも1つのシアノバクテリアの該培養物がOscillatoria sp.（No.1459/45, CCAP）を含む、方法。
【請求項２２】
請求項１８〜２１のいずれかに記載の方法によって得られ、分子量が30kDaまたは30kDaより大きい、糖脂質。
【請求項２３】
請求項２２の糖脂質であって、全サッカリド画分（total saccharidic fraction）(G)m（100％）に対して30〜60重量％のラムノースを含む、糖脂質。